(57)【要約】【課題】電池の充電中、表示部に表示される充電率を確認しているユーザに違和感を与えないようにする。【解決手段】取得部１１により充電停止要求が取得されたとき、取得部１１により取得される充電率ＳＯＣ１が、満充電状態の電池Ｂの充電率ＳＯＣｍａｘ以上である場合、電池Ｂの充電が完了したことを通知部１２により通知させ、取得部１１により充電停止要求が取得されたとき、取得部１１により取得される充電率ＳＯＣ１が、満充電状態の電池Ｂの充電率ＳＯＣｍａｘよりも小さい場合、表示部１３に表示させる充電率ＳＯＣ２を徐々に増加させるとともに、表示部１３に表示させる充電率ＳＯＣ２を、満充電状態の電池Ｂの充電率ＳＯＣｍａｘに対応する充電率ＳＯＣ２以上に増加させたとき、電池Ｂの充電が完了したことを通知部１２により通知させる。【選択図】図１
2019132639.tif 000002
【特許請求の範囲】
【請求項１】
電池に流れる電流の積算値により求められる充電率及び前記電池の充電を停止させる要求である充電停止要求を取得する取得部と、
前記取得部により取得される充電率を表示部に表示させる制御部と、
を備え、
前記制御部は、
前記取得部により前記充電停止要求が取得されたとき、前記取得部により取得される充電率が、満充電状態の前記電池の充電率以上である場合、前記電池の充電が完了したことを通知部により通知させ、
前記取得部により前記充電停止要求が取得されたとき、前記取得部により取得される充電率が、満充電状態の前記電池の充電率よりも小さい場合、前記表示部に表示させる充電率を徐々に増加させるとともに、前記表示部に表示させる充電率を、満充電状態の前記電池の充電率以上に増加させたとき、前記電池の充電が完了したことを前記通知部により通知させる
ことを特徴とする充電率表示装置。
【請求項２】
請求項１に記載の充電率表示装置であって、
前記制御部は、前記取得部により前記充電停止要求が取得されたとき、前記取得部により取得される充電率が、満充電状態の前記電池の充電率よりも小さい場合、前記表示部に表示させる充電率を、充電を開始してから充電が停止するまでの前記電池の充電率の平均変化率で増加させる
ことを特徴とする充電率表示装置。
【請求項３】
請求項２に記載の充電率表示装置であって、
前記制御部は、前記取得部により前記充電停止要求が取得されたとき、前記取得部により取得される充電率が、満充電状態の前記電池の充電率よりも小さい場合、前記表示部に表示させる充電率を、定電流定電圧充電制御による充電を開始してから前記電池の電圧が定電圧以上になるまでの前記平均変化率で増加させる
ことを特徴とする充電率表示装置。
【請求項４】
請求項１に記載の充電率表示装置であって、
前記制御部は、前記取得部により前記充電停止要求が取得されたとき、前記取得部により取得される充電率が、満充電状態の前記電池の充電率よりも小さい場合、前記表示部に表示させる充電率を、一定の変化率で増加させる
ことを特徴とする充電率表示装置。
【請求項５】
請求項１に記載の充電率表示装置であって、
前記制御部は、前記取得部により前記充電停止要求が取得されたとき、前記取得部により取得される充電率が、満充電状態の前記電池の充電率よりも小さい場合、前記取得部により前記充電停止要求が取得されてから一定時間経過後に前記表示部に表示させる充電率が満充電状態の前記電池の充電率になるように、前記表示部に表示させる充電率を、一定の変化率で増加させる
ことを特徴とする充電率表示装置。
【請求項６】
請求項１に記載の充電率表示装置であって、
前記制御部は、前記取得部により前記充電停止要求が取得されたとき、前記取得部により取得される充電率が、満充電状態の前記電池の充電率よりも小さい場合で、かつ、前記電池が満充電状態であるときに前記表示部に表示させる充電率の大きさを表すセグメントの数である第１のセグメント数と、前記取得部により前記充電停止要求が取得されたときに前記表示部に表示させるセグメントの数である第２のセグメント数との差が２以上である場合、前記第２のセグメント数から前記第１のセグメント数になるまで前記表示部に表示させるセグメントの数を一定時間経過毎に１ずつ増加させる
ことを特徴とする充電率表示装置。
【請求項７】
電池に流れる電流の積算値により算出される充電率及び前記電池の充電を停止させる要求である充電停止要求を取得する取得部と、前記取得部により取得される充電率を表示部に表示させる制御部とを備える充電率表示装置により行われる充電率表示方法であって、
前記制御部は、
前記取得部により前記充電停止要求が取得されたとき、前記取得部により取得される充電率が、満充電状態の前記電池の充電率以上である場合、前記電池の充電が完了したことを通知部により通知させ、
前記取得部により前記充電停止要求が取得されたとき、前記取得部により取得される充電率が、満充電状態の前記電池の充電率よりも小さい場合、前記表示部に表示させる充電率を徐々に増加させるとともに、前記表示部に表示させる充電率を、満充電状態の前記電池の充電率以上に増加させたとき、前記電池の充電が完了したことを前記通知部により通知させる
ことを特徴とする充電率表示方法。
【発明の詳細な説明】
【技術分野】
【０００１】
本発明は、電池の充電率を表示部に表示させる充電率表示装置及び充電率表示方法に関する。
【背景技術】
【０００２】
充電率表示装置として、電池の充電中、電池に流れる電流の積算値により求められる充電率を表示部に表示させ、電池の充電を停止させる要求である充電停止要求を取得すると、積算値により求められる実際の電池の充電率が満充電状態の電池の充電率（満充電状態の電池の充電率が１００％である場合には、１００％）であるか否かに関わらず、満充電状態の電池の充電率を表示部に表示させるものがある。
【０００３】
関連する技術として、特許文献１〜３がある。
【先行技術文献】
【特許文献】
【０００４】
【特許文献１】特開平１０−１３６５０２号公報
【特許文献２】特開平９−１７１０６５号公報
【特許文献３】特開２０１２−１７３２５０号公報
【発明の概要】
【発明が解決しようとする課題】
【０００５】
しかしながら、上記充電率表示装置では、充電停止要求の取得直前まで、電池に流れる電流の検出精度により、電池に流れる電流の積算値により求められる充電率が、満充電状態の電池の充電率よりも小さい場合、充電停止要求の取得時、表示部に表示される充電率が急に大きく変化して、表示部に表示される充電率を確認しているユーザに違和感を与えてしまうおそれがある。
【０００６】
そこで、本発明の一側面に係る目的は、電池の充電中、表示部に表示される充電率を確認しているユーザに違和感を与えないようにすることである。
【課題を解決するための手段】
【０００７】
本発明に係る一つの形態である充電率表示装置は、電池に流れる電流の積算値により求められる充電率及び電池の充電を停止させる要求である充電停止要求を取得する取得部と、取得部により取得される充電率を表示部に表示させる制御部とを備える。
【０００８】
制御部は、取得部により充電停止要求が取得されたとき、取得部により取得される充電率が、満充電状態の電池の充電率以上である場合、電池の充電が完了したことを通知部により通知させる。
【０００９】
また、制御部は、取得部により充電停止要求が取得されたとき、取得部により取得される充電率が、満充電状態の電池の充電率よりも小さい場合、表示部に表示させる充電率を徐々に増加させるとともに、表示部に表示させる充電率を、満充電状態の電池の充電率以上に増加させたとき、電池の充電が完了したことを通知部により通知させる。
【００１０】
このように、取得部により充電停止要求が取得されたとき、取得部により取得される充電率が、満充電状態の電池の充電率よりも小さい場合、表示部に表示させる充電率を徐々に増加させるので、表示部に表示される充電率が急に大きく変化することがなくなり、表示部に表示される充電率を確認しているユーザに違和感を与えないようにすることができる。
【発明の効果】
【００１１】
本発明によれば、電池の充電中、表示部に表示される充電率を確認しているユーザに違和感を与えないようにすることができる。
【図面の簡単な説明】
【００１２】
【図１】実施形態の充電率表示装置を示す図である。
【図２】定電流定電圧充電制御時の電池の電圧、電流、及び充電率を示す図である。
【図３】定電流充電制御時の電池の電圧、電流、及び充電率を示す図である。
【図４】表示部に表示される画面の一例を示す図である。
【図５】表示部に表示される画面の他の例を示す図である。
【図６】制御部の動作を示すフローチャートである。
【発明を実施するための形態】
【００１３】
以下図面に基づいて実施形態について詳細を説明する。
図１は、実施形態の充電率表示装置を示す図である。
充電率表示装置１は、取得部１１と、通知部１２と、表示部１３と、制御部１４とを備える。
【００１４】
取得部１１は、通信機などであり、電池Ｂに流れる電流の積算値により求められる充電率ＳＯＣ１及び電池Ｂの充電を停止させる要求である充電停止要求を取得する。
通知部１２は、スピーカまたは照明などであり、電池Ｂの充電が完了したことを音声または光によってユーザに通知する。
【００１５】
表示部１３は、ディスプレイなどであり、取得部１１により取得される充電率ＳＯＣ１に対応する充電率ＳＯＣ２、または、満充電状態の電池Ｂの充電率ＳＯＣｍａｘに対応する充電率ＳＯＣ２を表示する。
【００１６】
制御部１４は、ＣＰＵ（Central Processing Unit）、マルチコアＣＰＵ、またはプログラマブルなデバイス（ＦＰＧＡ（Field Programmable Gate Array）やＰＬＤ（Programmable Logic Device））により構成される。
【００１７】
なお、充電率表示装置１は、電池Ｂに電力を供給する充電器Ｃｈ、または、ハイブリッド車または電気自動車などの車両Ｖｅに搭載されていてもよい。
電池パック２は、車両Ｖｅに搭載され、電池Ｂと、電流検出部２１と、電圧検出部２２と、制御部２３とを備える。
【００１８】
電池Ｂは、リチウムイオン電池またはニッケル水素電池などである。
電流検出部２１は、電流計などであり、電池Ｂに流れる電流を検出する。
電圧検出部２２は、電圧計などであり、電池Ｂの電圧を検出する。
【００１９】
制御部２３は、ＣＰＵ、マルチコアＣＰＵ、またはプログラマブルなデバイスにより構成される。
また、制御部２３は、電流検出部２１により検出される電流の積算値により電池Ｂの充電率を求める。すなわち、制御部２３は、充電率＝前回求めた電池Ｂの充電率＋（電池Ｂに流れた電流の積算値／電池Ｂの満充電容量）×１００を計算することにより電池Ｂの充電率を求める。制御部２３は電池Ｂに流れる電流の積算値により求めた充電率ＳＯＣ１を取得部１１へ送信する。また、制御部２３は充電中の電池Ｂの電圧、電流が充電終了条件を満たしたときに、電池Ｂの充電を停止させる要求である充電停止要求を取得部１１及び充電器Ｃｈへ送信する。
【００２０】
また、制御部２３は、電流検出部２１により検出される電流及び電圧検出部２２により検出される電圧をパラメータとして定電流定電圧充電制御または定電流充電制御を行う。
図２（ａ）は、定電流定電圧充電制御時の電池Ｂの電圧を示す図であり、図２（ｂ）は、定電流定電圧充電制御時の電池Ｂに流れる電流を示す図であり、図２（ｃ）は、定電流定電圧充電制御時の電池Ｂの充電率を示す図である。なお、図２（ｃ）に示す実線は、電池Ｂに流れる電流の積算値により求められ、制御部２３から取得部１１へ送られる充電率ＳＯＣ１を示している。図２（ｃ）に示す破線は、本実施形態において、表示部１３に表示される充電率ＳＯＣ２を示している。図２（ｃ）に示す一点鎖線は、従来において、表示部１３に表示される充電率ＳＯＣ２を示している。
【００２１】
まず、制御部２３は、時刻ｔ１０において、定電流定電圧充電制御による電池Ｂの充電を開始すると、電池Ｂに流れる電流が定電流Ｉｃに保たれるように、充電器Ｃｈに電流指示を送る。
【００２２】
次に、制御部２３は、時刻ｔ１１において、電池Ｂの電圧が定電圧Ｖｃ以上になると、電池Ｂの電圧が定電圧Ｖｃに保たれるとともに、電池Ｂに流れる電流が徐々に小さくなるように、充電器Ｃｈに電流指示を送る。
【００２３】
そして、制御部２３は、時刻ｔ１２において、電池Ｂに流れる電流が電流閾値Ｉｔｈ以下になると、充電停止要求を取得部１１及び充電器Ｃｈに送る。
充電器Ｃｈは、時刻ｔ１０以降において、制御部２３から送られてくる電流指示に応じた電流を電池Ｂへ流す。そして、充電器Ｃｈは、時刻ｔ１２において、充電停止要求を受信すると、電池Ｂへ電流を流すことを停止する。これにより、時刻ｔ１０から時刻ｔ１２までの期間、電池Ｂに電流が流れ、時刻ｔ１２以降、電池Ｂに電流が流れない。そのため、充電率ＳＯＣ１は、時刻ｔ１０から時刻ｔ１２までの期間、２０［％］から８０［％］まで徐々に大きくなり、時刻ｔ１２以降、８０［％］のまま変化しない。すなわち、時刻ｔ１０から時刻ｔ１２までの期間の充電率ＳＯＣ１と充電率ＳＯＣ２とは互いに同じ値になり、時刻ｔ１２から時刻ｔ１３までの期間の充電率ＳＯＣ１と充電率ＳＯＣ２とは互いに異なる値になる。なお、時刻ｔ１３は、充電率ＳＯＣ２が充電率ＳＯＣｍａｘに対応する充電率ＳＯＣ２になるタイミングとする。
【００２４】
図３（ａ）は、定電流充電制御時の電池Ｂの電圧を示す図であり、図３（ｂ）は、定電流充電制御時の電池Ｂに流れる電流を示す図であり、図３（ｃ）は、定電流充電制御時の電池Ｂの充電率を示す図である。なお、図３（ｃ）に示す実線は、電池Ｂに流れる電流の積算値により求められ、制御部２３から取得部１１へ送信される充電率ＳＯＣ１を示している。図３（ｃ）に示す破線は、本実施形態において、表示部１３に表示される充電率ＳＯＣ２を示している。図３（ｃ）に示す一点鎖線は、従来において、表示部１３に表示される充電率ＳＯＣ２を示している。
【００２５】
まず、制御部２３は、時刻ｔ２０において、定電流充電制御による電池Ｂの充電を開始すると、電池Ｂに流れる電流が定電流Ｉｃに保たれるように、充電器Ｃｈに電流指示を送る。
【００２６】
そして、制御部２３は、時刻ｔ２１において、電池Ｂの電圧が電圧閾値Ｖｔｈ以上になると、充電停止要求を取得部１１及び充電器Ｃｈに送る。
充電器Ｃｈは、時刻ｔ２０以降において、制御部２３から送られてくる電流指示に応じた電流を電池Ｂへ流す。そして、充電器Ｃｈは、時刻ｔ２１において、充電停止要求を受信すると、電池Ｂへ電流を流すことを停止する。これにより、時刻ｔ２０から時刻ｔ２１までの期間、電池Ｂに電流が流れ、時刻ｔ２１以降、電池Ｂに電流が流れない。そのため、充電率ＳＯＣ１は、時刻ｔ２０から時刻ｔ２１までの期間、２０［％］から８０［％］まで徐々に大きくなり、時刻ｔ２１以降、８０［％］のまま変化しない。すなわち、時刻ｔ２０から時刻ｔ２１までの期間の充電率ＳＯＣ１と充電率ＳＯＣ２とは互いに同じ値になり、時刻ｔ２１から時刻ｔ２２までの期間の充電率ＳＯＣ１と充電率ＳＯＣ２とは互いに異なる値になる。なお、時刻ｔ２２は、充電率ＳＯＣ２が充電率ＳＯＣｍａｘに対応する充電率ＳＯＣ２になるタイミングとする。
【００２７】
図４は、表示部１３に表示される画面の一例を示す図である。
図４に示す画面Ｄ１では、電池Ｂの充電率の大きさ（０〜１００［％］）を、数字で表す。
【００２８】
制御部１４は、取得部１１により取得される充電率ＳＯＣ１が７８［％］である場合、図４（ａ）に示すように、画面Ｄ１に充電率ＳＯＣ２として「７８［％］」を表示させる。これにより、ユーザは、図４（ａ）に示す画面Ｄ１を確認することによって電池Ｂの充電率が７８［％］であることを認識することができる。
【００２９】
次に、制御部１４は、取得部１１により取得される充電率ＳＯＣ１が７８［％］から８０［％］に増加すると、図４（ｂ）に示すように、画面Ｄ１に充電率ＳＯＣ２として「８０［％］」を表示させる。これにより、ユーザは、図４（ｂ）に示す画面Ｄ１を確認することによって電池Ｂの充電率が７８［％］から８０［％］に増加したことを認識することができる。
【００３０】
図５は、表示部１３に表示される画面の他の例を示す図である。
図５に示す画面Ｄ２では、電池Ｂの充電率の大きさを、１０［％］、２０［％］、３０［％］、４０［％］、５０［％］、６０［％］、７０［％］、８０［％］、９０［％］、１００［％］にそれぞれ対応する１０個のセグメント（矩形枠）の表示数により表す。
【００３１】
制御部１４は、取得部１１により取得される充電率ＳＯＣ１が７０〜７９［％］の範囲の充電率ＳＯＣ１である場合、図５（ａ）に示すように、充電率ＳＯＣ２として、０［％］、１０［％］、・・・、７０［％］にそれぞれ対応する７個のセグメントを画面Ｄ２に表示させる。これにより、ユーザは、図５（ａ）に示す画面Ｄ２を確認することによって電池Ｂの充電率が７０〜７９［％］の範囲の充電率であることを認識することができる。
【００３２】
次に、制御部１４は、取得部１１により取得される充電率ＳＯＣ１が７０〜７９［％］の範囲の充電率ＳＯＣ１から８０〜８９［％］の範囲の充電率ＳＯＣ１に増加すると、図５（ｂ）に示すように、充電率ＳＯＣ２として、０［％］、１０［％］、・・・、８０［％］にそれぞれ対応する８個のセグメントを画面Ｄ２に表示させる。これにより、ユーザは、図５（ｂ）に示す画面Ｄ２を確認することによって電池Ｂの充電率が７０〜７９［％］の範囲の充電率から８０〜８９［％］の範囲の充電率に増加したことを認識することができる。
【００３３】
図６は、制御部１４の動作を示すフローチャートである。
まず、制御部１４は、電池Ｂの充電が開始されると（Ｓ１：Ｙｅｓ）、取得部１１により充電停止要求が取得されるまで、取得部１１により充電率ＳＯＣ１を取得するとともに、その充電率ＳＯＣ１に対応する充電率ＳＯＣ２を表示部１３に表示させることを繰り返す（Ｓ２：Ｎｏ、Ｓ３、Ｓ４）。すなわち、制御部１４は、定電流定電圧充電制御による電池Ｂの充電が開始されてから電池Ｂに流れる電流が電流閾値Ｉｔｈ以下になるまでの間、または、定電流充電制御による電池Ｂの充電が開始されてから電池Ｂの電圧が電圧閾値Ｖｔｈ以上になるまでの間、取得部１１から制御部２３に充電率送信要求を繰り返し送らせる。制御部２３は、充電率送信要求を受け取る度に、電池Ｂに流れる電流の積算値により充電率ＳＯＣ１を求め、その求めた充電率ＳＯＣ１を取得部１１に送る。制御部１４は、取得部１１により充電率ＳＯＣ１が取得される度に、その取得された充電率ＳＯＣ１に対応する充電率ＳＯＣ２を表示部１３に表示させる。例えば、電池Ｂの充電中、充電率ＳＯＣ１が大きくなると、充電率ＳＯＣ２として、図４に示す画面Ｄ１の数字または図５に示す画面Ｄ２のセグメント数が増加する。
【００３４】
また、制御部１４は、充電停止要求を取得すると（Ｓ２：Ｙｅｓ）、充電停止要求取得時に取得部１１により取得された充電率ＳＯＣ１が満充電状態の電池Ｂの充電率ＳＯＣｍａｘ以上であるか否かを判断する（Ｓ５）。満充電状態の電池Ｂの充電率は、予め求められた固定値であって、本実施形態では、１００［％］とする。すなわち、制御部１４は、電池Ｂに流れる電流の積算値により求めた充電率ＳＯＣ１が１００［％］以上か否か判断する。なお、満充電状態の電池Ｂの充電率は１００［％］に限らず、その他の値でも良い。
【００３５】
次に、制御部１４は、充電停止要求取得時に取得部１１により取得された充電率ＳＯＣ１が満充電状態の電池Ｂの充電率ＳＯＣｍａｘ以上である場合（Ｓ５：Ｙｅｓ）、満充電状態の電池Ｂの充電率ＳＯＣｍａｘに対応する充電率ＳＯＣ２である「１００［％］」または１０個のセグメントを表示部１３に表示させるとともに、電池Ｂの充電が完了したことを通知部１２により通知させる（Ｓ６）。
【００３６】
一方、制御部１４は、充電停止要求取得時に取得部１１により取得された充電率ＳＯＣ１が満充電状態の電池Ｂの充電率ＳＯＣｍａｘよりも小さい場合（Ｓ５：Ｎｏ）、表示部１３に表示させる充電率ＳＯＣ２が満充電状態の電池Ｂの充電率ＳＯＣｍａｘに対応する充電率ＳＯＣ２以上になるまで、表示部１３に表示させる充電率ＳＯＣ２を徐々に増加させる（Ｓ７、Ｓ８：Ｎｏ）。
【００３７】
そして、制御部１４は、表示部１３に表示させる充電率ＳＯＣ２が満充電状態の電池Ｂの充電率ＳＯＣｍａｘに対応する充電率ＳＯＣ２以上になると（Ｓ８：Ｙｅｓ）、電池Ｂの充電が完了したことを通知部１２により通知させる（Ｓ９）。
【００３８】
このように、実施形態の充電率表示装置１では、取得部１１により充電停止要求が取得されたとき、取得部１１により取得される充電率ＳＯＣ１が、満充電状態の電池Ｂの充電率ＳＯＣｍａｘよりも小さい場合、表示部１３に表示させる充電率ＳＯＣ２を徐々に増加させるので、表示部１３に表示される充電率ＳＯＣ２が急に大きく変化することがなくなり、表示部１３に表示される充電率ＳＯＣ２を確認しているユーザに違和感を与えないようにすることができる。
【００３９】
表示部１３に表示させる充電率ＳＯＣ２を徐々に増加させる際のその増加方法について説明する。
＜増加方法１α＞
制御部１４は、取得部１１により充電停止要求が取得されたとき、取得部１１により取得される充電率ＳＯＣ１が、満充電状態の電池Ｂの充電率ＳＯＣｍａｘよりも小さい場合、表示部１３に表示させる充電率ＳＯＣ２を、充電を開始してから充電が停止するまでの電池Ｂの充電率の平均変化率Ｒ１αで増加させる。なお、平均変化率Ｒ１α＝（充電停止時の充電率ＳＯＣ１−充電開始時の充電率ＳＯＣ１）／全体の充電時間Ｔαとする。充電停止時とは、充電停止要求を取得する時であり、図２の時刻ｔ１２、または、図３の時刻ｔ２１とする。全体の充電時間Ｔαとは、図２の時刻ｔ１０から時刻ｔ１２までの期間、または、図３の時刻ｔ２０から時刻ｔ２１までの期間とする。
【００４０】
＜増加方法１β＞
制御部１４は、取得部１１により充電停止要求が取得されたとき、取得部１１により取得される充電率ＳＯＣ１が、満充電状態の電池Ｂの充電率ＳＯＣｍａｘよりも小さい場合、表示部１３に表示させる充電率ＳＯＣ２を、定電流定電圧充電制御による充電を開始してから電池Ｂの電圧が定電圧Ｖｃ以上になるまでの電池Ｂの充電率の平均変化率Ｒ１βで増加させる。なお、平均変化率Ｒ１β＝（電池Ｂの電圧が定電圧Ｖｃ以上になったときの充電率ＳＯＣ１−定電流定電圧充電制御開始時の充電率ＳＯＣ１）／全体の充電時間Ｔβとする。全体の充電時間Ｔβとは、図２の時刻ｔ１０から時刻ｔ１１までの期間とする。
【００４１】
＜増加方法２＞
制御部１４は、取得部１１により充電停止要求が取得されたとき、取得部１１により取得される充電率ＳＯＣ１が、満充電状態の電池Ｂの充電率ＳＯＣｍａｘよりも小さい場合、表示部１３に表示させる充電率ＳＯＣ２を、予め決められた一定の変化率Ｒ２で増加させる。例えば、表示させる充電率ＳＯＣ２を１分ごとに２［％］ずつ変化させたい場合は、Ｒ２＝２［％／分］にする。
【００４２】
＜増加方法３＞
制御部１４は、取得部１１により充電停止要求が取得されたとき、取得部１１により取得される充電率ＳＯＣ１が、満充電状態の電池Ｂの充電率ＳＯＣｍａｘよりも小さい場合、取得部１１により充電停止要求が取得されてから一定時間Ｔ経過後に表示部１３に表示させる充電率ＳＯＣ２が満充電状態の電池Ｂの充電率ＳＯＣｍａｘに対応する充電率ＳＯＣ２になるように、表示部１３に表示させる充電率ＳＯＣ２を、一定の変化率Ｒ３で増加させる。なお、変化率Ｒ３＝（満充電状態の電池Ｂの充電率ＳＯＣｍａｘ−充電停止要求取得時の充電率ＳＯＣ１）／一定時間Ｔ１とする。
【００４３】
一例として、変化率Ｒ１α、Ｒ１β、Ｒ２、Ｒ３をそれぞれ２［％／分］とする。なお、充電開始時に取得部１１により取得された充電率ＳＯＣ１を２０［％］とし、充電停止要求取得時に取得部１１により取得された充電率ＳＯＣ１を８０［％］とし、満充電状態の電池Ｂの充電率ＳＯＣｍａｘを１００［％］とし、満充電状態の電池Ｂの充電率ＳＯＣｍａｘに対応する充電率ＳＯＣ２を「１００［％］」または１０個のセグメントとし、全体の充電時間Ｔα、Ｔβを３０［分］とし、一定時間Ｔ１を１０［分］とする。
【００４４】
従来では、充電停止要求取得時（図２の時刻ｔ１２または図３の時刻ｔ２１）、図２（ｃ）または図３（ｃ）に示す一点鎖線のように、表示部１３に表示される充電率ＳＯＣ２として８０［％］から１００［％］に急に変化してしまうため、ユーザに違和感を与えてしまうおそれがある。
【００４５】
一方、本実施形態では、増加方法１α、１β、２、３の何れにおいても、制御部１４は、充電停止要求取得時（図２に示す時刻ｔ１２または図３に示す時刻ｔ２１）、図２（ｃ）または図３（ｃ）に示す破線のように、表示部１３に表示される充電率ＳＯＣ２として８０［％］から１００［％］に緩やかに変化するため、ユーザに違和感を与えないようにすることができる。
【００４６】
すなわち、本実施形態では、制御部１４は、時刻ｔ１２または時刻ｔ２１において、図４（ｂ）に示すように、画面Ｄ１に「８０［％］」を表示させ、時刻ｔ１２または時刻ｔ２１から１分後において、図４（ｃ）に示すように、画面Ｄ１に「８２［％］」を表示させ、時刻ｔ１２または時刻ｔ２１から２分後において、図４（ｄ）に示すように、画面Ｄ１に「８４［％］」を表示させる。その後、制御部１４は、画面Ｄ１に表示させる充電率ＳＯＣ２が「１００［％］」になる時刻ｔ１３または時刻ｔ２２まで１［分］経過毎に画面Ｄ１に表示させる充電率を２［％］ずつ増加させ続ける。これにより、充電停止要求取得時に取得される充電率ＳＯＣ１が、満充電状態の電池Ｂの充電率ＳＯＣｍａｘである１００［％］よりも小さい８０［％］であっても、表示部１３に表示される充電率ＳＯＣ２が、８０［％］から１００［％］に緩やかに増加するため、画面Ｄ１を確認しているユーザに違和感を与えないようにすることができる。
【００４７】
または、本実施形態では、制御部１４は、時刻ｔ１２または時刻ｔ２１において、図５（ｂ）に示すように、画面Ｄ２に１０［％］〜８０［％］にそれぞれ対応する８個のセグメントを表示させ、時刻ｔ１２または時刻ｔ２１から５分後において、図５（ｃ）に示すように、画面Ｄ２に１０［％］〜９０［％］にそれぞれ対応する９個のセグメントを表示させ、時刻ｔ１２から１０分後の時刻ｔ１３、または、時刻ｔ２１から１０分後の時刻ｔ２２において、図５（ｄ）に示すように、画面Ｄ２に１０［％］〜１００［％］にそれぞれ対応する１０個のセグメントを表示させる。これにより、充電停止要求取得時に取得される充電率ＳＯＣ１が、満充電状態の電池Ｂの充電率ＳＯＣｍａｘである１００［％］よりも小さい８０［％］であっても、表示部１３に表示されるセグメント数が、８個から９個、９個から１０個と、緩やかに増加するため、画面Ｄ２を確認しているユーザに違和感を与えないようにすることができる。
【００４８】
なお、変化率Ｒ１αで充電率を増加させる場合、充電停止要求取得前後で充電率の変化率が変化することを防止することができるため、充電停止要求取得時において画面Ｄ１または画面Ｄ２を確認しているユーザに違和感を与えないようにすることができる。
【００４９】
＜増加方法４＞
制御部１４は、取得部１１により充電停止要求が取得されたとき、取得部１１により取得される充電率ＳＯＣ１が、満充電状態の電池Ｂの充電率ＳＯＣｍａｘよりも小さい場合で、かつ、電池Ｂが満充電状態であるときに表示部１３に表示させる充電率ＳＯＣ２の大きさを表すセグメントの数である第１のセグメント数と、取得部１１により充電停止要求が取得されたときに表示部１３に表示させるセグメントの数である第２のセグメント数との差が２以上である場合、第２のセグメント数から第１のセグメント数になるまで表示部１３に表示させるセグメントの数を一定時間Ｔ２経過毎に１ずつ増加させる。
【００５０】
例えば、制御部１４は、図２（ｃ）に示す時刻ｔ１２において、取得部１１により取得される充電率ＳＯＣ１が１００［％］よりも小さい８０［％］である場合で、かつ、図５（ｂ）に示すように、第１のセグメント数としての１０個と、第２のセグメント数としての８個との差が２個である場合、８個から１０個になるまで表示部１３に表示させるセグメントの数を５分経過毎に１ずつ増加させる。
【００５１】
この場合、制御部１４は、図２に示す時刻ｔ１２において、図５（ｂ）に示すように、画面Ｄ２に１０［％］〜８０［％］にそれぞれ対応する８個のセグメントを表示させ、時刻ｔ１２から５分後において、図５（ｃ）に示すように、画面Ｄ２に１０［％］〜９０［％］にそれぞれ対応する９個のセグメントを表示させ、時刻ｔ１２から１０分後において、図５（ｄ）に示すように、画面Ｄ２に１０［％］〜１００［％］にそれぞれ対応する１０個のセグメントを表示させる。これにより、取得部１１により充電停止要求が取得された時刻ｔ１２において、取得部１１により取得される充電率ＳＯＣ１が、満充電状態の電池Ｂの充電率ＳＯＣｍａｘである１００［％］よりも小さい８０［％］であっても、表示部１３に表示されるセグメントの数が、８個から１０個に急に大きく増加せず、５分経過毎に１ずつ増加する割合で緩やかに増加するため、画面Ｄ２を確認しているユーザに違和感を与えないようにすることができる。
【００５２】
なお、本発明は、以上の実施の形態に限定されるものでなく、本発明の要旨を逸脱しない範囲内で種々の改良、変更が可能である。
【符号の説明】
【００５３】
１  充電率表示装置
１１  取得部
１２  通知部
１３  表示部
１４  制御部
【図１】
2019132639.tif 000003
【図２】
2019132639.tif 000004
【図３】
2019132639.tif 000005
【図４】
2019132639.tif 000006
【図５】
2019132639.tif 000007
【図６】
2019132639.tif 000008